(57)【特許請求の範囲】
【請求項１】
（ａ）第一のベッドヘッドエンドと第二のフットエンドのある中央部と、
（ｂ）前記中央部から外側に延び、前記ベッドヘッドエンドから前記フットエンドの方へカーブする一対の頭サポートリムと、
（ｃ）前記フットエンドにおいて前記中央部から外側に延び、前記サポートリムの内側に離れてある一対の首、顎先、顎サポートリムと、
（ｄ）隣り合う各頭サポートリムと首、顎先、顎サポートリムの間にあり、前記ベッドヘッドエンドと前記フットエンドの間にある前記中央部の中間から、外側へ前記フットエンドの方へ延びている呼吸空間とを有し、
（ｅ）前記頭サポートリムと前記首、顎先、顎サポートリムは、それぞれが上端面、下底面、及びこれら前記上端面と前記下底面に連結する内面を有し、前記内面はリム上端面の上部からリム下底面の隣の底部の方へ、下方にカーブする面を有し、前記呼吸空間は前記リム上部の間の比較的広い開口から前記リム底部の比較的狭い開口へとテーパしている枕本体を含む枕。
【請求項２】
前記枕本体は、前記枕の高さを変えるために取り除ける分離したベース部を含む請求項１記載の枕。
【請求項３】
前記枕が前記枕本体の形に合ったカバーを有する請求項１記載の枕。
【請求項４】
前記カバーが内側ライナーを有し、前記カバーと前記内側ライナーの間に柔かい充填物を入れるためのポーチを作り、前記柔かい充填物は前記ポーチに入って前記枕の高さ及び／又は形を変えることができ、前記内側ライナーは前記首、顎先、顎サポートリムと前記フットエンドの隣の前記中央部の長さの少なくとも一部に添って延びる請求項３記載の枕。
【請求項５】
前記中央部に切り欠きを含み、前記切り欠きは前記リムが互いにかつ前記中央部に対して適当に動けるように前記呼吸空間から内側に延びている請求項１記載の枕。
【請求項６】
前記枕のベッドヘッドエンドに、前記頭サポートリムの前記中央部に対する動きを助けるＶ形プロフィールがある請求項１記載の枕。
【請求項７】
前記呼吸空間は前記枕を完全に貫いて延びる開口空間である請求項１記載の枕。
【請求項８】
前記枕本体と前記外カバーの間の位置に、前記中央部又はリムの高さ及び／又は形を変えるための追加の柔かい充填物を入れられる請求項１記載の枕。
【請求項９】
前記枕本体と前記外カバーが枕カバーの中にある請求項１記載の枕。
【請求項１０】
前記枕本体の前記上面が複雑な形又は卵容器の形をしている請求項１記載の枕。
【発明の詳細な説明】
技術分野
本発明は、枕、特に睡眠障害無呼吸（ＵＳＡ）、いびき及び睡眠中の他の呼吸又は姿勢の問題を防ぐ枕に関する。
背景技術
睡眠中の頭の位置を矯正するために使用する幾つかの枕は、仰向きの位置に寝かせるが、背中の上に横たわって寝るのは呼吸上の問題を生じさせ、舌と軟組織が落ちて気管を塞いだり、又はいびきをかくとき気管が狭くなるＯＳＡ患者にとっては、危険な場合がある。ＯＳＡ患者は、これらの問題を避けるために横向き又はうつ伏せで寝る必要がある。多くの枕は寝ている人の頭の自然な動きを妨げるため、枕の上における頭の不正確な位置によって、多くの条件が休息の足りない混乱した眠りをもたらす。横向きに寝ると、寝ている人の顔は枕の中に入って埋め込まれることがあり、これにより鼻、頬の上、目の部分の周りに圧力が生じる。この圧力が（頬に生じる熱と顔の圧力によって）鼻の障害及び不快を引き起こし、頬に生じる熱と顔の圧力が今度はこれらの部分に跡となり美容上の問題となる。ある者は頭の下に両手を置いて上下の腕の間に空間を作ることにより不十分な呼吸空間と不快さを補うべく試みる。拳で叩いて枕に一時的なくぼみをつくるのは適当な解決ではない。多くの人々、特に高齢者は、背骨の頸頚部が堅く柔軟性に欠けるという問題を持っている。睡眠中、ほとんどの治療用枕は首を不自然な位置に置いて支えるので、枕の上で頭の自然な動きができない。
従来の様々な種類の枕に伴う問題を以下により詳細に説明する。
柔らかく詰まった枕は、一般に柔らかい物質が詰められた枕である。使用者が横向きになりたいと願うと、枕は首を支えるように配置されるが、顔は不可避的に枕に埋め込まれる。これにより鼻と口の通気が妨げられ、呼吸が困難となる。不快な圧力が、上頬、目、さらにしばしば耳付近の顔の部分にかかり、この圧力により顔の上に熱が生じ、特に暑い天気のときは不眠を感じる。寝ているときは首は力が抜け、顎先が胸の方に向く。このような状態が生じると、このタイプの枕は顎先に対して良好な支えとならず、顎先は下の方に曲がってしまう。１以上のこれらの問題を解決するためにしばしば用いられる対策は、頭を休めるために使用者がひじを曲げ手を上げて頭を枕から上げることである。上下の腕により作られた空間が、呼吸空間となり、障害なしに呼吸できるようになり顔の上の圧力が減る。しかし、腕は疲れ、曲げたひじにより血の流れはしばしば妨げられる。他の方法として、使用者が呼吸に障害の無い状態で横向き又はうつ伏せに寝たいならば、顔を枕の端に置く方法があるが、圧迫感はまだ残る。これら両方の方法とも、しばしば休息できない眠りとなり、不可避的に体が抵抗が最少のラインをとり仰向きになる。これが幾らか快適でも、いびきには望ましくなく睡眠障害無呼吸患者には危険な場合がある。
従来のデザインの成型発泡枕の主な問題は、個々人の違いに適応するため流動性に欠ける点にある。これらの枕は通常、首を支えるためのこぶと頭部のための中央のくぼみ又は谷を有するようにデザインされている。このスタイルはある人達には仰向きに寝るのに適しているかもしれないが、通常は首が伸ばされ過ぎて、顎が開き舌と柔組織が後方に落ち、その結果いびき又は気管の障害を引き起こす。使用者が横向きに寝たいときも、首はこのような枕から何等かの利点を得るための所定の位置に保持されなければならない。頭の重みをデザインされた位置に意図的に保持する間、しばしば首は伸ばされ過ぎる。しかし、寝ている間に自然と生じることであるが、首と体の力が抜けるとき、頭はより自然な位置をとり顎先の方へ幾らか曲がる。たとえほんの少し曲がっても、首と頭は意図されたデザインの位置からずれる。頭が首サポート／こぶの頂上に位置するようになるため、首が支えられなくなる。これにより首と肩が痛み、背骨に多くの緊張がかかる。
幾つかの従来の枕は、圧力がかからず障害の無い呼吸空間を得るためにくぼみ又は穴を有するようにデザインされている。これらのくぼみ又は穴は枕の中央部に固定されていて、個々人の頭の大きさに対して調整できない。これらの穴は枕の中央部にあるので、頭の後は適切な支持を受けられない。しかし、最も重要なことは、これらは枕に固定されているので、顔をほんの少しでも下方に回すと吐き出す息がくぼみに捕らえられ再び吸い込まれることである。これは、二酸化炭素が血液中に増え使用者が目覚めたときに疲れを感じるので、全く望ましくないことである。
発明の開示
本発明の目的は上記の欠点を解決する枕を提供することである。
本発明は、
（ａ）第一のベッドヘッドエンドと第二のフットエンドのある中央部と、
（ｂ）中央部から外側に延び、ベッドヘッドエンドからフットエンドの方へカーブする一対の頭サポートリムと、
（ｃ）フットエンドにおいて中央部から外側に延び、頭サポートリムの内側に離れてある一対の首、顎先、顎サポートリムと、
（ｄ）隣り合う各頭サポートリムと首、顎先、顎サポートリムの間にあり、ベッドヘッドエンドとフットエンドの間にある中央部の中間から延び、外側へフットエンドの方へカーブしている呼吸空間とを有し、
（ｅ）頭サポートリムと首、顎先、顎サポートリムは、リム上面の上部からリム底面の隣の底部の方へ、下方にカーブする面を有し、呼吸空間はリム上部の間の比較的広い開口からリム底部の比較的狭い開口へとテーパしている枕本体を含む枕を提供する。
本発明による枕は、使用者が枕のどの位置にあっても、首、顎、顎先及び頭を良好に支持する。特に、睡眠中の首と頭の自然の動きを支持する。カーブしテーパしている呼吸スロットにより、目覚めて休んでいるときでも、睡眠中に自然に首が動いたときでも、使用者がとりうるどの位置にあっても妨げられない呼吸空間又は環境が提供される。さらに、頭サポートリムと首、顎、顎先サポートリムの曲面により、睡眠中のどの位置でも顔の部分に対して圧力のかからない環境が提供され、上頬と目の部分の周りの熱と不快さが排除される。また、圧力が減少することにより、デリケートな部分の周りの圧迫マークが無くなったり減ったりして美容上の利点が得られる。また、枕は柔軟性を有し、夜の間の調整を容易にする。個人的な動きに対しては少しの調整が必要とされ又は望まれている。この調整にはリムをただ動かすことだけが必要である。
好ましくは、枕本体は、枕の高さを変えるために取り除ける分離したベース部を含む。
好ましくは、枕は枕本体の形に合ったカバーを有する。
一実施形態において、柔かい充填物を入れるためのポーチを作るために、カバーが内側ライナーを有してもよい。柔かい充填物はポーチに入って枕の高さ及び／又は形を変えることができる。内側ライナーは首、顎先、顎サポートリムとフットエンドの隣の中央部の長さの少なくとも一部に添って延びている。また、内側ライナーが頭サポートリムにあってもよい。
好ましくは、中央部に切り欠きがあり、切り欠きはリムが互いにかつ中央部に対して適当に動けるように呼吸空間から内側に延びている。
枕のベッドヘッドエンドに、頭サポートリムの中央部に対する動きを助け、ゆがむのを防ぐためのＶ形プロフィールがあってもよい。
好ましくは、呼吸空間は枕を完全に貫いて延びる開口空間である。
好ましくは、枕本体と外カバーの間の位置に、中央部又はリムの高さ及び／又は形を変えるための追加の柔かい充填物を入れられる。
好ましくは、枕本体と外カバーは枕カバーの中にある。
好ましくは、枕本体の上面が複雑な形又は卵容器の形をしている。
【図面の簡単な説明】
図１は本発明の実施形態の外カバーに入っている枕を示す図である。
図１Ａは外カバーを除いた枕本体の図１の線１ａ−１ａに添った断面図である。
図１Ｂも外カバーを除いた図１の線１ｂ−１ｂに添った断面図である。
図１Ｃも外カバーを除いた図１の線１ｃ−１ｃに添った断面図である。
図２は図１の矢印２の方向から見た図である。
図３は図１の枕の上側の斜視図である。
図４は枕本体の分解斜視図である。
図５は本発明の第一の実施形態による首サポートリムの断面図である。
図６は本発明の第二の実施形態による図５と同様の断面図である。
図７は枕本体の外カバーを示す平面図である。
図８は枕ケース内の枕を示す図である。
図９はある一つの形の標準枕カバーの内側にある枕を示す図である。
図１０は本発明の好ましい実施形態による枕で眠る人を示す図である。
図１１，図１２，図１３，図１４，図１５，図１６及び図１７は枕の上で様々な位置で眠るときの頭の向きを示す概略図である。
実施形態の説明
本発明の好ましい実施形態を図を参照して実施例により説明する。
図１は本発明の一実施形態による枕の平面図である。この枕は枕本体２（図４に分解した形を示す）を有し、枕本体２は図１に示すように外カバー２９の内側にある。枕本体２が枕のベッドヘッドエンド１０ｄにほぼＶ形プロフイール１０ａを有するが、カバー２９は枕のベッドヘッドエンド１０ｄはほぼ直線である点を除いて、枕本体２は外カバー２９と同じ形をしている。枕はフッドエンド１０ｅも有し、中央部５はベッドヘッドエンド１０ｄとフッドエンド１０ｅの間にある。
一対の頭サポートリム１０ｂ，１０ｃが枕のベッドヘッドエンド１０ｄから外側かつ下側にフッドエンド１０ｅの方へカーブして延びている。
一対の首、顎及び顎先サポートリム１１ａ，１１ｂが中央部５から外側かつ下側に頭サポートリム１０ｂ，１０ｃの内側に延びている。
ギャップ又はスロット１３，１４の形をとるエア呼吸空間は、頭サポートリム１０ｂと顎及び顎先サポートリム１１ａの間と、頭サポートリム１０ｃと顎及び顎先サポートリム１１ｂの間にそれぞれ形成される。図１に明確に示されるように、エア呼吸スロット又はギャップ１３，１４は、中央部５の真中の部位で始まり、カーブして外側にフット１０ｅの方へ延びる。エア呼吸スロット１３，１４は弓状で、睡眠中使用者の顎先が胸の方に動いて頭が動くときの口と鼻の領域が描くのと同じ曲率を有する。後述する図１０乃至図１７にこの関係をより明確に示す。図１及び図２に示すように、各リム１０ｂ，１０ｃ，１１ａ及び１１ｂはそれぞれ切形端１５，１６，１７及び１８で終わる。顎及び顎先サポートリム１１ａ及び１１ｂは、顎及び顎先サポートリム１１ａ及び１１ｂの残りと部分１１よりも少し高い隣接端１６及び１７であってもよい。
中央部５には、ほぼ顎及び顎先サポートリム１１ａ及び１１ｂの間にある領域１１があり、枕の主要首サポート部分を形成している。中央部５を横切って延び頭サポートリム１０ｂ，１０ｃへの移行部を形成する１０で示す枕の部分が、枕の主要頭サポート部をほぼ形成する。
頭サポートリム１０ｂ，１０ｃがベッドヘッド（図示せず）の方に動いても、より自由に動けてベッドヘッドによってリムの動きが遮られるのを防ぐように、頭サポートリム１０ｂ，１０ｃの肩５７は丸まっている。
図１Ａに最も良く示すように、ベッドヘッドエンド１０ｄからフッドエンド１０ｅへ長手方向にある中央部５は、主要頭サポート部１０と主要首サポート部１１の間において、ベッドヘッドエンド１０ｄから架橋部１２まではほぼ平らで、その後上方に立ち上がって主要首サポート部１１となり、主要首サポート部１１が主要頭サポート部１０よりも幾らか高くなっている。小さなくぼみ又はへこみ１０ｈを首サポート部１１の始めに設け、耳のための場所を形成して耳に対する圧力を減らしてもよい。図２，図３及び図１Ｂの断面図にも示すように、橋部１２付近の中央部５は、図１Ｂの図１２ａに示されるように膨らんで曲がっている。
図２，図３及び図１Ｂ，図１Ｃの断面図にも示すように、首サポート部１１と首、顎、顎先サポートリム１１ａ，１１ｂは、主要頭サポート部１０と頭サポートリム１０ｂ、１０ｃよりも高い。
図２，図１Ｃに最も良く示すように、各リム１０ｂ，１１ａは内面１０ｆ，１０ｇを有する。内面１０ｆ，１０ｇは点Ｐで示される上部から点Ｂで示される下部へ下方に膨らんで曲がり、各リム１０ｂと１１ａの間（及び各リム１０ｃ，１１ｂの間）にあるスロット１３が、点Ｐの間にある大きな上開口から点Ｂの間の比較的狭い開口へ下方にテーパしている。各リム１０ｂ，１１ａ（及び各リム１０ｃ，１１ｂ）の外面１０ｈ，１０ｊは図１Ｃに示すようにほぼ垂直な面でもよいし、所望により、図２に示すように膨らんでカーブ又は丸まっていてもよいし、へこんでもよい。
図４に最も良く示すように、枕本体２は上層７２から離れたベース層７０を有する。図１Ａ乃至図１Ｃは滑らかな外面の枕本体２を示すが、上層７２の外面は、枕に接触する使用者の頭の部分の圧力の分散を助けるために、複雑でも図２に示すように卵容器状でもよい。図１Ａ乃至図１Ｃ，図５，図６は、上体７２の上面を複雑ではなく滑らかで平らに示し、面の湾曲をより明確に容易に示している。上層７２は図１Ａ乃至図１Ｃに示すような形をしている。図１Ｃに示すように、ベース層７０は薄い隣接層であり、これは枕の高さを調整するために所望により取り除いたり使用したりできる。従って、うつ伏せ又は仰向きに寝るのを好む場合等、比較的低い枕を望むなら、ベース層７０を除くことができる。仰向き又は横向きに寝るのに比較的高い枕を必要とするなら、ベース層７０を使用して枕の高さ又は厚みを少し増加させて、それらの体位で寝ているときの肩の高さに合わせる。
図１Ａ乃至図１Ｃに示すような曲面をなす枕の基本的な形は、全て上層７２により付与され、ベース層７０を除いても、まだ枕は図１Ａ，図１Ｂ，図１Ｃに示すような形、特徴、輪郭を有する。
図４に最も良く示すように、ベース層７０と上層７２には切り欠き７４があってもよく、切り欠き７４はスロット１３，１４の内端から中央部５の中へ内側に延び、図４の両頭矢印Ａの方向の各リム１０ｂ，１１ａ，１０ｃ，１１ｂの動きを容易にして、互いのリム及び中央部５に対するリムの位置を調整して使用者個人の要求に合うようにする。
例えば、図７は、切形端１５，１６，１７，１８が互いにほぼ接触しスロット１３，１４が閉じている、ほぼ閉じた位置のリムの位置を示している。また、図８に示すように、切形端１５，１６，１７，１８が互いに離れている、開いた位置に移動してもよい。図７に示す閉じた位置においても、エア呼吸ギャップ又はスロット１３，１４は、切形端においてのみ閉じ、各リム１０ｂ，１１ａ又は１０ｃ，１１ｂの閉鎖にもかかわらず、エア呼吸ギャップ又はスロットは常に提供されるように完全に遮断されない。
図５，図６は顎及び顎先サポートリム１１ａの断面図であり、本発明の様々な実施形態を示している。これら実施形態では、追加の柔かい充填物７６を加えてリムの高さを増すか、少しリムの形を変えている。図５の実施形態では、外カバー２９が示され、内側ライナー３１がカバー２９の内面に縫い付けられている。図１の点線に示すように、内側ライナー３１は主要首サポート部１１を横切って顎及び顎先サポートリム１１ａ，１１ｂの長さの大部分に添って延びる。内側ライナー３１は外カバー２９から端３３で開き（図１参照）、所望により、柔かい詰物を内側ライナー３１と外カバー２９の間に詰めて、図５に示す充填物７６を形成して、主要首サポート部１１と顎及び顎先サポートリム１１ａ，１１ｂの一部の高さを少し増すことができる。他の方法では、端３３を縫い閉じて、中央開口位置からポーチに詰める。また充填物７６は枕により柔かい感じを与える。
図６はさらに別の実施形態を示す図である。この実施形態では、首サポートの高さを高くするだけでなく幅も広げる必要があるとき、追加の柔かい充填物７６を、上層７２と外カバー２９の間に置き、顎及び顎先サポートリム１１ａの頂上付近だけでなく外面１０ｊの下まで配置する。追加の詰物は図５に示す内側ライナー３１と共に使用できる。図６は内側ライナー３１が完全に省略されている実施形態を示す。しかし、内側ライナー３１には、所望により枕の高さを増加すために柔かい充填物７６を位置付け、ずらさないようにする利点がある。
図７は下から見た外カバー２９を示す図である。そこにはチャック７８又はベルクロファスナー等他の適当な付着手段が外カバー２９を枕本体２を覆って閉じるために使用されている。好ましくは外カバー２９は、柔かく、キルト等のように少し詰物がされた物で作られる。この実施例では、本体２のＶ形プロフィール１０ａの隣にある外カバー２９の一部を一緒に引いて、Ｖ形プロフィールを少し閉じて、頭サポートリム１０ｂ，１０ｃを図１，図７に示す位置から外側に動かしその位置で結ぶのを助けるために、ひも２４，２５を外カバー２９に付けてもよい。
図８は外カバー２９を覆う外枕カバー３０を示す図である。外枕カバー３０は洗濯のために定期的に取り外せるようになっている。外枕カバー３０には、所望により閉じた位置に各リム１０ｂ，１１ａ及び１０ｃ，１１ｂを一緒に結べるひも２６，２７が付いていてもよい。
図９はさらに、外枕カバー３０が、図１乃至図８に示す枕と同じ形ではなく、ほぼ長方形の枕カバーである実施形態を示す図である。図９の外枕カバー３０は緩くフィットし、枕の外側と少しだけ合い、呼吸スロット１３，１４とは干渉しない。図９に示すようにほぼ長方形の外枕カバー３０とすることができるが、図８の枕カバー３０で示される枕とほぼ同じ形を有する枕カバーが好ましい。
図１乃至図６を参照して説明した本発明の好ましい実施形態では、首サポート部１１、架橋部１２、頭サポート部１０と共に各リム１０ｂ，１１ａ及び１０ｃ，１１ｂの曲面の輪郭は、上層７２により付与される。好ましくは上層７２は、発泡プラスチック（例えばポリウレタン）のような弾性のスポンジ様ゴム状物質又は合成ポリマー物質からなる。他の実施形態では、前述したような曲面を付与する枕の最終的形状は、実際の本体２を形付けるだけでなく、前述した最終形状となるように発泡プラスチック物質又は柔かい充填物質を外カバー２９に挿入することによっても付与される。
ベース層７０を上層７２から完全に自由にしてもよく、また、他の方法では、取り外し可能なひもをベース層７０又は上層７２に付けて、ベース層７０を上層７２に結び上層７２に対する所定の位置に確実に保持してもよい。
図１０乃至図１７は、睡眠中の通常の頭の動きにおいて、枕はどうのように使用され使用者の頭を支持するかを示す図である。
図１０は、首と頭の全ての自然な動きに対して、特に首が自然と力が抜け顎先が胸の方に動いたとき、どのように頭と首が支持されるかを示し、このような状況がどの程度生じたかにかかわらず、首と頭は全てのサポート部の自然なカーブに従うので、頭の重みは全てのサポート部により均等に分散される。幅広にハッチングされている部分が、頭の胸の方に曲がったときに支持される頭、首、顎先の部分を示す図である。図１１は本発明により達成できるラインＡに添った正しい背骨の配列位置を示す図である。図１２は本発明の枕のそれぞれの部分がどのように頭、顎先、首を支持するかを示し、さらに顔がギャップ１３，１４の開口空間に入ったときの顔への圧力の漸進的な減少を示す図である。この圧力の漸進的な減少より、非常に快適な感じが与えられ、サポート部が終わり開口空間が始まる所で顔に線を残さない。図１３はうつ伏せの人を示し、図１４は横向きの人を示す図である。図１５，図１６は仰向きの人を示し、枕の下リムが肩の下にあって頭を図１６に示すように正しい配列位置に維持している。図１６では、ラインＡが背骨の軸を示す。図１７は、仰向きに寝ている間に頭が動くときの枕に対する頭を示す図である。
本発明の枕のリムの外側部分が閉じたときでも、丸まった頂上又は盛り上がった内面１０ｆ，１０ｇは離れ、呼吸エアスロット又はギャップ１３，１４は連続して開いているので塞がらない。
図１０および図１７から特に分かるように、図１０のように頭が胸の方に落ちることにより、又は図１７のように横の方に動くことにより頭の位置が変わっても、鼻と口の部分は一般に隣の各リム１０ｂ，１１ａ又は１０ｃ，１１ｂの最上点（図１ＣでＰで示す）の間の呼吸スロット又はギャップに残り、完全な呼吸空間が常にあり、枕自身は口と鼻の部分に接触せず、口と鼻の部分を塞いだり障害となったりしない。また、スロット１３，１４の形は、排気の容易な放出を可能とし、鼻と口付近に二酸化炭素が蓄積されない。特にスロット１３，１４が開いているとき、スロット１３，１４が枕を完全に通り抜け、スロットの内外に非常に良好に空気が通過するような好ましい実施形態では、特にそうである。たとえスロット１３，１４が閉じても、スロット１３，１４の長い形と大きさにより、二酸化炭素が蓄積しないのに必要以上の通気が可能となる。
図１２は、図１２の矢印が示すように内面１０ｆ，１０ｇの曲面により目と口付近で顔への圧力が漸進的に減少するのを示している図である。矢印が示すように、圧力は目と口の部分の方に徐々に減り、当然顔と接触しないスロット１３，１４からは圧力は生じない。従って、この漸進的な圧力の変化により快適な支持が可能となり、顔に圧迫線やマークが付く恐れはなくなる。圧迫線やマークは枕の面プロフィールにおいて突然の混乱や変化があるとき生じることがある。図示されない他の実施形態では、首サポート部１１においてベース層７０又は上層７２の一部の堅さの程度が（異なる物質により作られることによって）異なってもよい。
前述した実施形態において本発明の好ましい一形態を説明したが、当業者は本発明の精神や範囲から離れることなく変化や改良をなすことができることが理解できるであろう。従って、使用した正確な用語に限定して理解されることは望まない。
【図１】
0003865782.tif 000002
【図１Ａ】
0003865782.tif 000003
【図１Ｂ】
0003865782.tif 000004
【図１Ｃ】
0003865782.tif 000005
【図２】
0003865782.tif 000006
【図３】
0003865782.tif 000007
【図４】
0003865782.tif 000008
【図５】
0003865782.tif 000009
【図６】
0003865782.tif 000010
【図７】
0003865782.tif 000011
【図８】
0003865782.tif 000012
【図９】
0003865782.tif 000013
【図１０】
0003865782.tif 000014
【図１１】
0003865782.tif 000015
【図１２】
0003865782.tif 000016
【図１３】
0003865782.tif 000017
【図１４】
0003865782.tif 000018
【図１５】
0003865782.tif 000019
【図１６】
0003865782.tif 000020
【図１７】
0003865782.tif 000021